【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
光沢ニッケル層の析出のための電解浴、または光沢ニッケル層の析出のための電解浴中で使用するための混合物であって、前記混合物が水溶液中に、または前記電解浴が水溶液中に、
（ｃ）安息香酸スルフィミドおよび／または安息香酸スルフィミド陰イオン
ならびに
（ｈ）抱水クロラール、抱水ブロマール、ギ酸、ホルマート、酢酸、アセタート、置換もしくは非置換脂肪族アルデヒドから成る群から選択される１種、２種、２種を超えるまたは全ての化合物
を含み、
前記電解浴が以下の成分を追加的に含むか、または前記混合物が以下の成分を追加的に含む、上記電解浴または混合物：
（ａ）ニッケルイオン、
（ｂ）１種または複数の酸、
（ｅ）式（Ｉ）
【化１】
2015212417.tif 000001
(I)
（式中、
Ｒ1は、ヒドロキシ、アミノ、Ｃ1−Ｃ4−アルキルアミノもしくはジ（Ｃ1−Ｃ4−アルキル）アミノによって置換されたＣ1−Ｃ4−アルキルまたは水素またはＣ1−Ｃ4−アルキルを意味し、
Ｒ2は、ヒドロキシ、アミノ、Ｃ1−Ｃ4−アルキルアミノもしくはジ（Ｃ1−Ｃ4−アルキル）アミノによって置換されたＣ1−Ｃ4−アルキルを意味する）
の１種または複数のアセチレン系不飽和化合物、
（ｆ）式（ＩＩ）
【化２】
2015212417.tif 000002
(II)
（式中、それぞれ相互に独立して、
窒素原子は、ピリジン、キノリンおよびイソキノリンからなる群から選択される芳香族環系の一部であり、
ｍは、１〜２４の範囲内の整数を意味し、
各Ｒ3は、独立して、炭素原子１〜２０個を有する分枝もしくは非分枝アルキル基または水素またはヒドロキシを意味する）
の１種または複数のベタイン、
（ｇ）１種または複数の湿潤剤。
【請求項２】
前記電解浴が、以下の成分を含むか、または前記混合物が、水溶液中に以下の成分の１種、複数、または全てを含む、請求項１に記載の電解浴または混合物：
（ｂ）硫酸、ホウ酸および塩酸
から成る群から選択される１種もしくは複数の無機酸
および／または
リンゴ酸、クエン酸、乳酸およびアミドスルホン酸
から成る群から選択される１種もしくは複数の有機酸
ならびに／あるいは
（ｇ）１種または複数の湿潤剤であって、１種の湿潤剤または複数の湿潤剤の１種もしくは複数もしくは全てが、
（ｉ）脂肪アルコールエーテルスルファート
および／または
それからプロトン化によって生成する酸、
（ｉｉ）脂肪アルコールスルファート
および／または
それからプロトン化によって生成する酸、
（ｉｉｉ）脂肪アルコールエーテルスルファート
および
脂肪アルコールスルファート
を含む、またはそれらから成る混合物、
（ｉｖ）脂肪アルコールエーテルスルファートの酸
および
脂肪アルコールスルファートの酸
を含む、またはそれらから成る混合物、
（ｖ）脂肪アルコールエーテルスルファート
および
脂肪アルコールスルファートの酸
を含む、またはそれらから成る混合物、
ならびに
（ｖｉ）脂肪アルコールエーテルスルファートの酸
および
脂肪アルコールスルファート
を含む、またはそれらから成る混合物
から成る群から選択され、
選択された１種の湿潤剤が、炭素鎖として分枝もしくは非分枝アルキル基を担持するか、または選択された複数の湿潤剤が、炭素鎖として、それぞれ相互に独立して、分枝もしくは非分枝アルキル基を担持する湿潤剤。
【請求項３】
前記電解浴が、以下の成分を含むか、または前記混合物が、水溶液中に以下の成分の１種、複数もしくは全てを含む、請求項１または２に記載の電解浴または混合物：
（ａ）全量１．１２〜１．６７ｍｏｌ／Ｌのニッケルイオン、ならびに／あるいは
（ｂ）全量０．４８５〜０．９７ｍｏｌ／Ｌの、
硫酸、ホウ酸および塩酸
から成る群から選択される１種もしくは複数の無機酸、および／または
リンゴ酸、クエン酸、乳酸およびアミドスルホン酸
から成る群から選択される１種もしくは複数の有機酸、ならびに／あるいは
（ｃ）全量０．００５５〜０．０２７４ｍｏｌ／Ｌの安息香酸スルフィミドおよび安息香酸スルフィミド陰イオン、ならびに／あるいは
（ｄ）全量０．００６〜０．０２５ｍｏｌ／Ｌのアリルスルホン酸およびアリルスルホナート、ならびに／あるいは
（ｅ）全量０．０００３６〜０．１４３８ｍｏｌ／Ｌの、式（Ｉ）
【化３】
2015212417.tif 000003
(I)
（式中、
Ｒ1は、ヒドロキシ、アミノ、Ｃ1−Ｃ4−アルキルアミノもしくはジ（Ｃ1−Ｃ4−アルキル）アミノによって置換されたＣ1−Ｃ4−アルキルまたは水素またはＣ1−Ｃ4−アルキルを意味し、
Ｒ2は、ヒドロキシ、アミノ、Ｃ1−Ｃ4−アルキルアミノもしくはジ（Ｃ1−Ｃ4−アルキル）アミノによって置換されたＣ1−Ｃ4−アルキルを意味する）
の１種または複数のアセチレン系不飽和化合物、ならびに／あるいは
（ｆ）全量０．０００２５〜０．００２５ｍｏｌ／Ｌの、式（ＩＩ）
【化４】
2015212417.tif 000004
(II)
（式中、それぞれ相互に独立して、
窒素原子は、ピリジン、キノリンおよびイソキノリンからなる群から選択される芳香族環系の一部であり、
ｍは、１〜２４の範囲内の整数を意味し、
各Ｒ3は、独立して、炭素原子１〜２０個を有する分枝もしくは非分枝アルキル基または水素またはヒドロキシを意味する）
の１種または複数のベタイン、ならびに／あるいは
（ｇ）全量０．０００６〜０．０２５ｍｏｌ／Ｌの、１種または複数の湿潤剤であって、１種の湿潤剤または複数の湿潤剤の１種もしくは複数もしくは全てが、
（ｉ）脂肪アルコールエーテルスルファート
および／または
それからプロトン化によって生成する酸、
（ｉｉ）脂肪アルコールスルファート
および／または
それからプロトン化によって生成する酸、
（ｉｉｉ）脂肪アルコールエーテルスルファート
および
脂肪アルコールスルファート
を含む、またはそれらから成る混合物、
（ｉｖ）脂肪アルコールエーテルスルファートの酸
および
脂肪アルコールスルファートの酸
を含む、またはそれらから成る混合物、
（ｖ）脂肪アルコールエーテルスルファート
および
脂肪アルコールスルファートの酸
を含む、またはそれらから成る混合物、
ならびに
（ｖｉ）脂肪アルコールエーテルスルファートの酸
および
脂肪アルコールスルファート
を含む、またはそれらから成る混合物
から成る群から選択される湿潤剤であり、
上記脂肪アルコールエーテルスルファートが、式（ＩＩＩ）
【化５】
2015212417.tif 000005
(III)
（式中、それぞれ相互に独立して、
ｎは、１〜２４の範囲内の整数を意味し、
Ｒ4は、炭素原子１〜２０個を有する分枝もしくは非分枝アルキル基を意味し、および
Ｘは、Ｌｉ、Ｎａ、Ｋ、Ｒｂ、ＣｓおよびＮＨ4から成る群から選択される）
の脂肪アルコールエーテルスルファート
および／もしくは
それからプロトン化によって生成する酸
から成る群から選択され、
かつ／または
脂肪アルコールスルファートが、式（ＩＶ）
【化６】
2015212417.tif 000006
(IV)
（式中、それぞれ相互に独立して、
ｎは、１〜２４の範囲内の整数を意味し、
Ｒ4は、炭素原子１〜２０個を有する分枝もしくは非分枝アルキル基を意味し、および
Ｘは、Ｌｉ、Ｎａ、Ｋ、Ｒｂ、ＣｓおよびＮＨ4から成る群から選択される）の脂肪アルコールスルファート
および／もしくは
それからプロトン化によって生成する酸
から成る群から選択される、上記湿潤剤、ならびに／あるいは
（ｈ）全量０．００３〜０．０１８ｍｏｌ／Ｌの、
抱水クロラール、抱水ブロマール、ギ酸、ホルマート、酢酸、アセタート、置換もしくは非置換脂肪族アルデヒドから成る群から選択される、１種、２種、２種を超えるまたは全ての化合物、ならびに／あるいは
（ｉ）全量０〜０．００２５ｍｏｌ／Ｌの、式（Ｖ）
【化７】
2015212417.tif 000007
(V)
（式中、
【化８】
2015212417.tif 000008
は、シスもしくはトランス配置の二重結合または三重結合を意味し、
Ｒ5は、ヒドロキシによって置換されたＣ1−Ｃ4−アルキルまたは水素またはＣＨ2ＯＲ6を意味し、および
Ｒ6は、ヒドロキシによって置換されたＣ1−Ｃ4−アルキルまたは水素またはスルホン酸基もしくはその塩を意味するが、
但し、Ｒ5およびＲ6は、同時には水素を意味せず、かつ
但し、破線は単結合を意味する）
の１種または複数の化合物。
【請求項４】
追加的に、
Ｆ-、Ｃｌ-、Ｂｒ-、Ｉ-、ＳＯ42-、ＯＨ-およびＣｌＯ4-
から成る群から選択される１種、２種、２種を超えるもしくは全ての陰イオンを含有し、かつ／または
追加的に、
Ｌｉ+、Ｎａ+、Ｋ+、Ｒｂ+、Ｃｓ+、Ｍｇ2+、Ｃａ2+およびＳｒ2+
から成る群から選択される１種、２種、２種を超えるもしくは全ての陽イオンを含有する、請求項１から３までの１項に記載の電解浴または混合物。
【請求項５】
単相溶液である、請求項１から４までの１項に記載の電解浴または混合物。
【請求項６】
２．８〜５．２、好ましくは３．８〜４．８の範囲内のｐＨ値を有する、請求項１から５までの１項に記載の電解浴または混合物。
【請求項７】
対応する被加工物上へのニッケルの析出による、光沢ニッケル層を有する物品の製造方法であって、以下のステップ：
（ａ）請求項１から６までの１項に記載の電解浴または混合物を準備および／または製造するステップ、
（ｂ）準備または製造された電解浴または混合物から被加工物上にニッケルを電気析出させて光沢ニッケル層を製造するステップ
を含む、方法。
【請求項８】
ステップ（ｂ）の前記電解浴または前記混合物の温度が、４０〜７０℃の範囲内である、請求項７に記載の方法。
【請求項９】
ステップ（ｂ）において光沢ニッケル層が、被加工物の銅、黄銅または亜鉛表面上に析出される、請求項７または８に記載の方法。
【請求項１０】
物品が、導管の構成要素または導水導管用の部品の構成要素である、請求項７から９までの１項に記載の方法。
【請求項１１】
ステップ（ｂ）において、被加工物の表面への析出が行われ、表面が、被加工物の半光沢ニッケル層の一部である、請求項７から１０までの１項に記載の方法。
【請求項１２】
以下の追加的なステップ：
（ｃ）更なる金属層を、光沢ニッケル層上に析出させるステップ、好ましくは電気析出させるステップ、好ましくはクロム層を光沢ニッケル層上に電気析出させるステップ
を含む、請求項７から１１までの１項に記載の方法。
【請求項１３】
光沢ニッケル層の析出または製造のための、請求項１から６までの１項に記載の電解浴または混合物の使用。
【請求項１４】
導水導管用の部品の構成要素上での光沢ニッケル層の析出または製造のための、請求項１３に記載の使用。
【請求項１５】
光沢ニッケル層が、
請求項１から６までの１項に記載の電解浴または混合物の使用下で対応する被加工物上にニッケルを析出させることによって、
または
請求項７から１２の１項に記載の方法を用いて
製造可能である、光沢ニッケル層を含む物品、好ましくは導管の構成要素または導水導管用の部品の構成要素。